(57)【要約】【課題】  雨水がヘルメットのひさしをつたって前面に合流して流れ落ちるのを防止することのできるヘルメットを提供する。【解決手段】  ヘルメット本体１と、ヘルメット本体１に連設するひさし２を備え、ヘルメット本体１とひさし２との境界部に、ヘルメット本体１と一定の間隔を保つ第１の突条３を設けて水滴を側部後方向へ流す導水溝４を形成するようにした。また、ひさし２の縁部に第２の突条６を設け、ひさし面の水滴を側部後方向へ流す導水面を形成するようにした。また、上記の第１の突条３及び第２の突条６を設置したひさし付属体を、ヘルメット本体に連設するひさしに取り付けるようにする。【選択図】          図１
2005097799.tif 000002
【特許請求の範囲】
【請求項１】
ヘルメット本体と、ヘルメット本体に連設するひさしを備え、上記ヘルメットと上記ひさしの境界部に上記ヘルメット本体と一定の間隔を保つ第１の突条を設けて水滴を側部後方向へ流す導水溝を形成すると共に、上記ひさしの縁部に第２の突条を設けてひさし面の水滴を集めて側部後方向へ流す導水面を形成したことを特徴とするヘルメット。
【請求項２】
ヘルメット本体に連設するひさしに取り付けられるひさし付属体であって、上記ヘルメット本体の外縁と一定の間隔を保って突設する第１の突条と、上記ひさしの縁部に位置して突設する第２の突条を備え、上記ヘルメット本体と第１の突条の間から水滴を側部後方向へ流すと共に、第２の突条に沿ってひさし面の水滴を集めて側部後方向へ流すようにしたことを特徴とするヘルメットのひさし付属体。
【請求項３】
上記ひさし付属体を、可とう性又は柔軟性のある樹脂系材料をもって構成したことを特徴とする請求項２記載のヘルメットのひさし付属体。
【発明の詳細な説明】
【技術分野】
【０００１】
この発明は、ヘルメットのひさしから雨水が前面に流下することを防ぐためのヘルメットの構造に関するものである。
【背景技術】
【０００２】
従来、ヘルメットの帽体の下縁付近に全周にわたって水桶を設けることにより、ヘルメットの帽体外周をつたわって流れ落ちる水滴が首の周囲に落下することを防止するものがあった。そして、上記水桶はヘルメットの前側に水排出用の排水溝を設置していた（例えば特許文献１参照）。
【０００３】
【特許文献１】実開昭６０−６７３２２号公報
【発明の開示】
【発明が解決しようとする課題】
【０００４】
従来、ひさしを設けたヘルメットは、殆ど、ひさし表面にやや下方向の傾斜が付設しており、これが湾曲したヘルメット本体に連設した形状となっている。したがって、ヘルメット本体（帽子体）の前面をつたう雨水は、ひさしから前側に流れ落ちる。
【０００５】
そして、特に歩行時の振動や急に下を向く動作をした時などには、水を振り落とそうとする作用が加わるので、水滴は一気に合流してひさしから前面に流れ落ちることになる。この現象は、物品の保護が重要視される配達業務等に従事する者にとっては大きなマイナス要因となる。例えば、新聞配達に従事する者において、雨の日にバイク等の荷台から新聞を取り出そうと頭を下げたとき、ひさしから一気に雨水が新聞にこぼれ落ち、新聞を濡らしてしまう問題点があった。
【０００６】
なお、上記特許文献１には、上述したような問題点を解消する方策及び構造は、何ら開示されていない。
【０００７】
この発明は上記のような問題点を解決するためになされたものであり、ヘルメット本体及びひさし上の水滴をひさしの両側後端に誘導して極力後方へ向って排水することのできるヘルメットを提供することを目的とする。
【課題を解決するための手段】
【０００８】
この発明に係るヘルメットは、ヘルメット本体と、ヘルメット本体に連設するひさしを備え、ヘルメット本体とひさしとの境界部にヘルメット本体と一定の間隔を保つ第１の突条を設けて水滴を側部後方向へ流す導水溝を形成すると共に、ひさしの縁部に第２の突条を設けてひさし面の水滴を集めて側部後方向へ流す導水面を形成したものである。
【０００９】
また、この発明に係るヘルメットのひさし付属体は、ヘルメット本体の外縁と一定の間隔を保って突設する第１の突条と、ひさしの縁部に位置して突設する第２の突条を備え、ヘルメット本体と第１の突条の間から水滴を側部後方向へ流すと共に、第２の突条に沿ってひさし面の水滴を集めて側部後方向へ流すようにしたことを特徴とする。
【発明の効果】
【００１０】
この発明に係るヘルメット又はそのひさし付属体によれば、ヘルメット本体とこれに続くひさしとの境界部にヘルメット本体と一定の間隔を保つ第１の突条が形成され、水滴を側部後方向へ流す導水溝が形成される。また、ひさしの縁部に第２の突条が形成されてひさし面の水滴を集めて側部後方向へ流す導水面を形成する、そのため、雨水が一気に合流して前方へ流れ落ちることがなく、郵便物、新聞等をポストに入れる時又は配達物を手渡す時等に生ずる被水による配達物等の損傷が防止される。
【発明を実施するための最良の形態】
【００１１】
実施の形態１．
以下、この発明を実施するための最良の形態を図に基づいて説明する。図１はこの発明の実施の形態１によるヘルメットの斜視図であり、図２は平面図であり、図３は図２におけるＹ−Ｙ断面図である。
【００１２】
図において、本実施の形態１によるヘルメットは、外側形状が球面状のヘルメット本体１と、ヘルメット本体１に連設するひさし２を備えている。このひさし２は、好ましくはその中央部ａを境にして左右が下方向にゆるく傾斜した状態で上記ヘルメット本体１へ連続している。
【００１３】
第１の突条３は、ヘルメット本体１とひさし２との境界部ｂの全域において、ヘルメット本体１の縁と一定の間隔を保って突設されており、ここにヘルメット本体１の前面膨出形状に沿う導水溝４が構成される。この導水溝４はひさし２の上記形状に沿って左右下方に傾き、ひさし２の両側基部において側部後方へ向く流出口５が存在している。
【００１４】
第２の突条６は、ひさし２のほぼ全縁に突設されており、その左右端と上記第１の突条３との間に側部後方向へ向く流出口７を設けている。
【００１５】
次に、実施の形態１のヘルメットの動作について説明する。雨の日には、ヘルメット本体１の前半部表面の水滴は、互いに合体し成長しながら流下し、ヘルメット本体１とひさし２との間に設けられた導水溝４内へ流下する。この時、頭の傾きや振動動作により導水溝４の左右への分流量が異なるが、いずれにしても集められた水は、流出口５から後側方へ排出される。特に、ヘルメットをかぶった者がバイクや自転車に乗っている場合、導水溝４へ流下した雨水の大部分は自然と流出口５から排出される。
【００１６】
一方、ひさし２上に存在する水滴は、第２の突条６とひさし２の上面で案内され、流出口７へ向って集斂され、流出口７から後側方へ排出される。
【００１７】
以上のようにこの発明の実施の形態１によれば、ヘルメット本体１を流下する水は第１の突条で遮られて導水溝４に沿って流れ、後側方へ向って排出され、又、ひさし２上の水滴は第２の突条６で遮られて後側方へ集められて排出されるので、下を向いた時でもひさしから前方へ流れ落ちる惧れが少なくなる。
【００１８】
実施の形態２．
図４はこの発明の実施の形態２によるヘルメットのひさし付属体を示す平面図であり、図５はひさし付属体を既存のヘルメットのひさしに取り付けた状態を示す断面図である。
【００１９】
図において、ひさし付属体１０は、ひさし２の上面に取り付けられる板状体１０ａと、板状体１０ａをひさし２に取り付けた場合、ヘルメット本体１の外縁と一定の間隔を保って突設されることになる第１の突条３と、板状体１０ａの前縁に突設されている第２の突条６と、第２の突条６の左右端と第１の突条３との間に設けられている流出口７を備えている。なお、ここで、ひさし付属体１０に可とう性又は柔軟性を保有させることによってヘルメットへ容易に取り付け可能となる。
【００２０】
実施の形態２において、図５に示す如く、ひさし付属体１０をヘルメットのひさし２に取り付けた状態では、その構造・作用は上記実施の形態１と全く同様である。実施の形態２では、特に、ひさし付属体１０に第１・第２の突条３，６を設けることで既存のヘルメットに本実施の形態のひさし付属体１０を取り付けるだけで、実施の形態１の効果を達成することができるという利点が生ずる。
【図面の簡単な説明】
【００２１】
【図１】この発明の実施の形態１によるヘルメットを示す斜視図である。
【図２】図１のヘルメットの平面図である。
【図３】図２におけるＹ−Ｙ断面図である。
【図４】この発明の実施の形態２によるヘルメットのひさし付属体の平面図である。
【図５】図４のひさし付属体を既存のひさしに貼り付けた状態を示す断面図である。
【符号の説明】
【００２２】
１  ヘルメット単体
２  ひさし
３  第１の突条
４  導水溝
５  流出口
６  第２の突条
７  流出口
１０  ひさし付属体
【図１】
2005097799.tif 000003
【図２】
2005097799.tif 000004
【図３】
2005097799.tif 000005
【図４】
2005097799.tif 000006
【図５】
2005097799.tif 000007